(57)【要約】【課題】給排水管、冷暖房用の冷温水管、ドレン管等の管内の壁面にこびりついた錆やスケール等の付着物、その他の残滓物を簡便且つ能率的に除去し、その後、洗浄してきれいな状態に管内を清掃できる管内清掃方法と、その管内清掃方法に使用される管内清掃器具を得る。【解決手段】主たる構成は、清掃区分の高位の流し又は洗面器等の管端に、洗浄水や薬液を通水してワイヤーを回転させながら管路に沿って差し込むことができる二股手段と、前記清掃区分の下位の管部に、外部からの圧入空気により膨張するエア弁によって栓することのできる閉弁手段とを取付可能とし、前記二股手段と閉弁手段とを適宜介在して耐圧ホースを接続し、その間にそれぞれバルブを介在して並列に通水可能に設置した水タンク及びクエン酸その他の薬液タンク等の所要の液体タンクとからなる。【選択図】　　　図１
2004042003.tif 000002
【特許請求の範囲】
【請求項１】
清掃区分の高位の流し又は洗面器等の管端に、洗浄水や薬液を通水してワイヤーを回転させながら管路に沿って差し込むことができる二股手段と、
前記清掃区分の下位の管部に、外部からの圧入空気により膨張するエア弁によって栓することのできる閉弁手段とを取付可能とし、
前記二股手段と閉弁手段とを適宜介在して耐圧ホースを接続し、その間にそれぞれバルブを介在して並列に通水可能に設置した水タンク及びクエン酸その他の薬液タンク等の所要の液体タンクとからなることを特徴とする給排水管、冷暖房用の冷温水管、ドレン管等の管内清掃方法。
【請求項２】
清掃区分の高位の流し又は洗面器等の管端に接続するものであって、
先端側に前記管端に接続される結合部が一体的に設けられ、その後端側に二股管部が設けられ、その一方の管部に水やクエン酸その他の薬液を通し、他方の管部にワイヤーを入れることを特徴とする給排水管、冷暖房用の冷温水管、ドレン管等の管内清掃に使用する二股通水器。
【請求項３】
清掃区分の下位の管部において、外部に設けたポンプを介して該管部から水やクエン酸その他の薬液を吸引する手段を兼備し、該管部内に通じる空気管と、該空気管の管内先端に弾性を有する強靭なゴム質の風船を気密に取り付けてなることを特徴とする給排水管、冷暖房用の冷温水管、ドレン管等の管内清掃に使用するエア弁。
【発明の詳細な説明】
【０００１】
【発明の属する技術分野】
本発明は、給排水管、冷暖房用の冷温水管、ドレン管等の管内の壁面にこびりついた錆やスケール等の付着物、その他の残滓物を除去する給排水管、冷暖房用の冷温水管、ドレン管等の管内清掃方法及びその管内清掃方法に使用される管内清掃器具に関するものである。
【０００２】
【従来の技術】
給排水管等の管内の壁面は、その管内を流れる給排水により水垢や酸化による錆をはじめ、排油やスケール等の付着物などによって給排水路が狭くなり、その状態を放置すると、給水能力が減衰したり、排水が流れなくなって滞水なる等、給排水に支障を来たすだけでなく、不潔で不衛生である。
【０００３】
そこで、従来は、給排水管等の管内の壁面にこびりついた錆やスケール等の付着物を除去するには、化学薬品清掃、ワイヤー式管清掃、高圧洗浄清掃、高圧式管清掃と称される工法が行われていた。これらの工法は、管内部に高圧の水を吹き付けたり、高圧の空気を管内に送ったり、化学薬品を流したり、ワイヤーを通して該ワイヤーを回転させたりして、管内の詰まり部分を開扉すると同時に管内壁面の付着物をこすり落としていた。
【０００４】
しかし、その作業の終了後に内視鏡で管内壁面の仕上がり状態を検査すると、大半に取り残した部分や不完全な部分が見られ、特に横引管の場合は残渣物が残っている等ひどい状態であることが多く、工事の完全を期すには何度も同じ作業を繰り返せねばならない等、劣悪な完成度（出来栄え）や低い作業効率性、高い作業コスト等、幾多の問題を抱えていた。
【０００５】
【発明が解決しようとする課題】
そこで、本発明は、給排水管、冷暖房用の冷温水管、ドレン管等の管内の壁面にこびりついた錆やスケール等の付着物、その他の残滓物を簡便且つ能率的に除去し、その後、洗浄してきれいな状態に管内を清掃できる給排水管、冷暖房用の冷温水管、ドレン管等の管内清掃方法と、その管内清掃方法に使用される管内清掃器具を得ようとするものである。
【０００６】
【課題を解決するための手段】
本発明は、上記の如き観点に鑑みてなされたものであって、清掃区分の高位の流し又は洗面器等の管端に、洗浄水や薬液を通水してワイヤーを回転させながら管路に沿って差し込むことができる二股手段と、前記清掃区分の下位の管部に、外部からの圧入空気により膨張するエア弁によって栓することのできる閉弁手段とを取付可能とし、前記二股手段と閉弁手段とを適宜介在して耐圧ホースを接続し、その間にそれぞれバルブを介在して並列に通水可能に設置した水タンク及びクエン酸その他の薬液タンク等の所要の液体タンクとからなる給排水管、冷暖房用の冷温水管、ドレン管等の管内清掃方法、及び／又は、清掃区分の高位の流し又は洗面器等の管端に接続するものであって、先端側に前記管端に接続される結合部が一体的に設けられ、その後端側に二股管部が設けられ、その一方の管部に水やクエン酸その他の薬液を通し、他方の管部にワイヤーを入れる給排水管、冷暖房用の冷温水管、ドレン管等の管内清掃に使用する二股通水器、或は、清掃区分の下位の管部において、外部に設けたポンプを介して該管部から水やクエン酸その他の薬液を吸引する手段を兼備し、該管部内に通じる空気管と、該空気管の管内先端に弾性を有する強靭なゴム質の風船を気密に取り付けてなる給排水管、冷暖房用の冷温水管、ドレン管等の管内清掃に使用するエア弁を提供しようとするものである。
【０００７】
【発明の実施の態様】
次に、図面を参照しながら説明する。
図１は、本発明一実施例の既存（雑）排水管の清掃区分の清掃工事方法を示した配管作業説明図、図２は、同清掃工事方法に使用される二股通水器の一例を示した外観図、図３は、同清掃工事方法に使用されるエア弁の一例を示した説明図である。
作業開始に先立って、まず、清掃区分の横引管１１に通じる最高位の流し又は洗面器１２等の管端に二股通水器１３を接続する。該二股通水器１３は二股管部１４ａ、１４ｂを有しており、その先端側には該管端に接続される結合部１５が一体的に設けられ、その後端側には二股管部の一方の管部１４ａにボール弁１６を介して耐圧ホース１７が気密に取り付けられている。
【０００８】
一方、前記清掃区分の縦管１８の最下位の管部１９に対してゴム栓２０で封止した不断水バルブ又はマジックジョイント２１を取り付ける。該不断水バルブ又はマジックジョイント２１には、外部から弁２２を介して該管部１９内に通じる空気管２３と、外部に設けたポンプ６を介在して該管部１９内に通じる耐圧ホース２４とが気密に貫通固定されている。そして、該空気管２３の管内先端にはエア弁２５が気密に取り付けられ、その外部には開閉弁２６を介して空気圧入装置（図示されていない）が付設されている。該エア弁２５は弾性を有する強靭なゴム質の風船状態を呈している。
【０００９】
前記清掃区分の上位の位置に通じる耐圧ホース１７と下位の位置に通じる耐圧ホース２４は、その間に井戸用ポンプ１、水タンク２、クエン酸その他の薬液タンク３、水タンク４とがその前後にそれぞれバルブ２７を介在して並列に通水可能に設置され、該井戸用ポンプ１と水タンク２との間には砂濾過装置５が設置され、該砂濾過装置５を介して該水タンク２から流れ出る循環水に含まれる粉粒状不純物を除去した澄水として該井戸用ポンプ１に送水する。
【００１０】
次に、上記の既存排水管の清掃方法の実施例に基づいて作業の段取りについて説明する。
最初に、前記二股管部の他方の管部１４ｂを閉栓し、また、開閉弁２６を開いて、エア弁２５に、空気圧入装置の駆動により空気を圧送し、それによって、該エア弁２５を膨張させ、その膨張圧力で当該管内を遮断し、以って、排水管の清掃区分を前記流し又は洗面器１２から横引管１１を通り縦管１８のエア弁２５により閉弁された管部１９までと設定する。
【００１１】
そこで、前記水タンク２のバルブ２７のみ開き他のバルブ２７は閉じてポンプ１と６を作動させ、ボール弁１６を開く。そうすると、水タンク２の貯水された水だけが横引管１１と縦管１８の清掃区分と耐圧ホース１７、２４により形成される閉ループを通水する。そうすることにより、水タンク２の水を前記閉ループに循環させて該水タンク２に戻る水の水位の一定を視認し、漏水のないことを確認する。
【００１２】
その後、クエン酸その他の薬液タンク３のバルブ２７のみ開き他のバルブ２７は閉じてポンプ６を作動させて、上記と同様に前記閉ループに所要の薬液を循環させる。その間、クエン酸その他の薬液による漏水の有無を確認しながら水位の一定を図る。
【００１３】
漏水のないことを見計らってワイヤーを前記二股管部の他方の管部１４ｂから前記清掃区分の管路に沿って前記縦管１８の管部１９まで回転させながら差し込み、その間の管内面に付着している錆やスケール等の付着物、その他の残滓物をその管内面から掻き落しながら薬液により該管内面の洗浄が並行して行われる。該管内面から剥離又は分離した不純物は前記薬液タンク３に戻して回収する。
【００１４】
前記の掻き落し作業とそれに並行する洗浄作業を一通り終えた排管内部に内視鏡を入れて作業の完成度を確認する。
【００１５】
その結果、不十分なところがあれば、所要の仕上がり状態が得られるまで上記の作業を繰り返す。
【００１６】
適当な管内面の清掃状態が得られた場合には、該管内面の薬液の残量を洗い出すために、水タンク４のバルブ２７のみ開き他のバルブ２７は閉じてポンプ６を作動させて、上記と同様に前記閉ループに所要の洗浄水を循環させる。その間、洗浄水による漏水の有無を確認し、一連の清掃作業を終了する。
【００１７】
上記の作業を完了した後は、前記作業開始に先立って処置した器具を全て取り外して原状に復して清掃作業は完了する。
【００１８】
上記の実施例においては、排水管の清掃工事方法の一例について説明したが、これに限らず、給水管や冷暖房用の冷温水管、ドレン管等の管内の錆やスケール等の付着物その他の残滓物の除去清掃についても同様に実施することができる。即ち、前記二股通水器１３やエア弁２５を使用しないでよいところには、清掃を必要とする清掃区分の横引管や縦管などと耐圧ホース１７、２４により形成される閉ループで前記同様の操作を行うことによって清掃工事をすることができる。
【００１９】
【発明の効果】
以上の説明により明らかなように、本発明によれば、既存の（雑）排水管、冷暖房用の冷温水管、ドレン等の管内の壁面にこびりついた錆やスケール等の付着物、その他の残滓物の除去などの清掃を要する最下部の管部に風船状に膨らませることのできるエア弁により簡単に栓をすることができ、その上方のワイヤー差入可能な管端までを清掃区間とすることが簡易迅速に行うことができる。
【００２０】
前記ワイヤー差入可能な管端には、二股管部を水密に取り付けることによって洗浄水やクエン酸その他の薬液を通水してワイヤーを回転させながら管路に沿って差し込むことができるから、管内清掃の仕上げ状態が極めて良好に行える外、特に薬液にクエン酸を使用すれば、全く無害の状態で管内を清掃できるので、殊に給水管の場合の復旧使用開始に際して人体の健康に何らの影響や支障もなく通水できて極めて安全であるだけでなく、清掃時の下水も無害である等の環境にも配慮することができるなど、作業の安全性と信頼性の向上に多大の貢献をすることができる。
【図面の簡単な説明】
【図１】本発明一実施例の既存（雑）排水管の清掃区分の清掃工事方法を示した配管作業説明図である。
【図２】本発明一実施例の既存（雑）排水管の清掃工事方法に使用される二股通水器の一例を示した外観図である。
【図３】本発明一実施例の既存（雑）排水管の清掃工事方法に使用されるエア弁の一例を示した説明図である。
【符号の説明】
１　井戸用ポンプ
２　水タンク
３　薬液タンク
４　水タンク
５　砂濾過装置
６　ポンプ
１１　横引管
１２　流し又は洗面器
１３　二股通水器
１４ａ、１４ｂ　二股管部
１５　結合部
１６　ボール弁
１７　耐圧ホース
１８　縦管
１９　管部
２０　ゴム栓
２１　不断水バルブ又はマジックジョイント
２２　弁
２３　空気管
２４　耐圧ホース
２５　エア弁
２６　開閉弁
２７　バルブ
【図１】
2004042003.tif 000003
【図２】
2004042003.tif 000004
【図３】
2004042003.tif 000005